(57)【要約】【課題】被測定面の形状変化が大きいような場合でも、三角測量の原理に基づき、被測定面の３次元形状を高精度かつ高速度に求めることが可能な３次元形状測定装置を得る。【解決手段】一露光時間内に被測定面７の全域に亘って輝線を間欠的に投影、走査する投影走査系２と、被測定面７に投影されて変形した各輝線を互いに異なる方向から撮像する第１および第２の撮像系３，４と、各輝線の投影方向を検出する投影方向検出手段５とを備えることにより、第１の３次元座標取得部６１によって得られたステレオ法による３次元座標データに基づく形状解析と、第２の３次元座標取得手段によって得られた光切断法による３次元座標データに基づく形状解析とを、適宜組み合わせて実施できるようにする。【選択図】図１
2008241643.tif 000002
【特許請求の範囲】
【請求項１】
被測定面に測定用パターンを投影、走査する投影走査系と、
前記被測定面に投影、走査された前記測定用パターンを互いに異なる方向から撮像する第１および第２の撮像系と、
前記測定用パターンの投影方向を検出する投影方向検出手段と、
前記第１の撮像系により撮像された画像上における前記測定用パターンの座標と、該第１の撮像系と同じタイミングで前記第２の撮像系により撮像された画像上における前記測定用パターンの座標との対応関係、および前記第１および第２の撮像系の間に設定された第１基線長に基づき、前記測定用パターンが投影された位置における前記被測定面の３次元座標を求める第１の３次元座標取得手段と、
前記第１の撮像系により撮像された画像上における前記測定用パターンの座標と、該第１の撮像系と前記投影走査系との間に設定された第２基線長と、前記投影方向とに基づき、および／または、前記第２の撮像系により撮像された画像上における前記測定用パターンの座標と、該第２の撮像系と前記投影走査系との間に設定された第３基線長と、前記投影方向とに基づき、前記測定用パターンが投影された位置における前記被測定面の３次元座標を求める第２の３次元座標取得手段と、
前記測定用パターンが前記被測定面を走査する過程において、前記第１および第２の３次元座標取得手段によりそれぞれ求められた３次元座標データを、任意に組み合わせて前記被測定面の３次元形状を求める３次元形状解析手段と、を備えてなり、
前記投影走査系は、前記第１の撮像系および前記第２の撮像系の一露光時間内に、前記被測定面の全域に亘って前記測定用パターンを投影、走査するように構成されていることを特徴とする３次元形状測定装置。
【請求項２】
前記第２の３次元座標取得手段は、前記第１および第２の撮像系のうちいずれか一方の撮像系のみが前記測定用パターンを撮像可能であった場合に、該一方の撮像系により撮像された前記測定用パターンの画像上における座標と、前記第２および第３基線長のうち該一方の撮像系に対応する方の基線長と、前記投影方向とに基づき、該一方の撮像系により撮像された前記測定用パターンが投影された位置における前記被測定面の３次元座標を求めるように構成されている、ことを特徴とする３次元形状測定装置。
【請求項３】
前記投影走査系は、回動する反射ミラーを介して前記測定用パターンを前記被測定面に投影、走査するように構成されている、ことを特徴とする請求項１または２記載の３次元形状測定装置。
【請求項４】
前記第１および第２の撮像系は、前記反射ミラーの回動中心を挟んで互いに対称に配置されている、ことを特徴とする請求項３記載の３次元形状測定装置。
【発明の詳細な説明】
【技術分野】
【０００１】
本発明は、三角測量の原理を用いて被測定面の３次元形状を求める３次元形状測定装置に関し、特に、形状の変化が大きい被測定面への適用が好適な３次元形状測定装置に関する。
【背景技術】
【０００２】
従来、三角測量の原理を利用する３次元形状測定装置としては、被測定面を互いに異なる方向から２つの撮像系で撮像して視差の情報から形状を求めるステレオ法という手法を用いるものが知られている。ステレオ法では、２つの撮像系により撮像された画像間の対応点を求める対応点探索が必要となるが、これを精度良く行なうことができれば、高精度な測定結果を得ることが可能となる。下記特許文献１には、２つの画像間の対応点の判別を容易とするため、被測定面に点状や線状の測定用パターンを投影することが記載されている。
【０００３】
また、ステレオ法における２つの撮像系の一方を、光スポット（点状の測定用パターン）や、輝線（直線状の測定用パターン）の投影走査系に置き換えた光切断法という手法を用いるものも知られている（下記特許文献２参照）。光切断法は、被測定面に光スポットや輝線を投影、走査し、それを投影方向とは異なる方向から撮像するものであり、撮像時点における光スポットや輝線の投影方向を検出すること、および投影走査系と撮像系との距離（基線長）を求めておくことが必要であるが、一般的なステレオ法における対応点探索が不要なため解析が容易となる。
【０００４】
【特許文献１】特開平５−２６６４０号公報
【特許文献２】特開平１０−１２２８３７号公報
【発明の開示】
【発明が解決しようとする課題】
【０００５】
しかしながら、従来のステレオ法および光切断法においては、形状変化が大きい被測定面を測定する場合、被測定面に対する撮像系の向きによっては、被測定面の一部領域を観察することができないため、高精度な測定結果を得ることができないという問題がある。
【０００６】
ステレオ法の場合、異なる２方向から同時に撮像された画像が、被測定面の全領域に亘って必要となるが、被測定面に対する２つの撮像系の向きを固定すると、被測定面の一部領域については一方の撮像系でしか撮像できないことがある。上記特許文献１には、被測定面と２つの撮像系との位置関係を変化させることが開示されているが、位置関係の変動に伴う測定誤差が生じる虞がある。
【０００７】
光切断法の場合でも、光スポットや輝線（の一部）を観察することができない領域が被測定面上に生じることがあり、そのような領域については、被測定面の３次元データを求めることが困難となる。例えば、輝線の一部が欠けて観察された場合において、輝線が直線であることを利用して、欠けた領域の３次元データを補完する手法も存在するが、精度が低下することは否めない。
【０００８】
また、光切断法の場合、被測定面の全域に亘って光スポットや輝線を投影、走査する間に、被測定面を複数回撮像する必要があるので（例えば、輝線を１本分走査する毎に１回撮像する）、１つの測定に要する時間が長いという問題もある。
【０００９】
本発明は、このような事情に鑑みなされたものであり、被測定面の形状変化が大きいような場合でも、三角測量の原理に基づき、被測定面の３次元形状を高精度に求めることが可能であり、かつ撮像回数を低減して、１つの測定に要する時間を短縮し得る３次元形状測定装置を提供することを目的とする。
【課題を解決するための手段】
【００１０】
上記課題を解決するため本発明の３次元形状測定装置では、ステレオ法による形状解析と光切断法による形状解析とを、適宜組み合わせて行なえるようにしている。
【００１１】
すなわち、本発明に係る３次元形状測定装置は、被測定面に測定用パターンを投影、走査する投影走査系と、
前記被測定面に投影、走査された前記測定用パターンを互いに異なる方向から撮像する第１および第２の撮像系と、
前記測定用パターンの投影方向を検出する投影方向検出手段と、
前記第１の撮像系により撮像された画像上における前記測定用パターンの座標と、該第１の撮像系と同じタイミングで前記第２の撮像系により撮像された画像上における前記測定用パターンの座標との対応関係、および前記第１および第２の撮像系の間に設定された第１基線長に基づき、前記測定用パターンが投影された位置における前記被測定面の３次元座標を求める第１の３次元座標取得手段と、
前記第１の撮像系により撮像された画像上における前記測定用パターンの座標と、該第１の撮像系と前記投影走査系との間に設定された第２基線長と、前記投影方向とに基づき、および／または、前記第２の撮像系により撮像された画像上における前記測定用パターンの座標と、該第２の撮像系と前記投影走査系との間に設定された第３基線長と、前記投影方向とに基づき、前記測定用パターンが投影された位置における前記被測定面の３次元座標を求める第２の３次元座標取得手段と、
前記測定用パターンが前記被測定面を走査する過程において、前記第１および第２の３次元座標取得手段によりそれぞれ求められた３次元座標データを、任意に組み合わせて前記被測定面の３次元形状を求める３次元形状解析手段と、を備えてなり、
前記投影走査系は、前記第１の撮像系および前記第２の撮像系の一露光時間内に、前記被測定面の全域に亘って前記測定用パターンを投影、走査するように構成されていることを特徴とする。
【００１２】
本発明の３次元形状測定装置において、第２の３次元座標取得手段は、第１および第２の撮像系のうちいずれか一方の撮像系のみが測定用パターンを撮像可能であった場合に、該一方の撮像系により撮像された測定用パターンの画像上における座標と、前記第２および第３基線長のうち該一方の撮像系に対応する方の基線長と、前記投影方向とに基づき、該一方の撮像系により撮像された測定用パターンが投影された位置における被測定面の３次元座標を求めるように構成されている、とすることができる。
【００１３】
また、投影走査系は、回動する反射ミラーを介して測定用パターンを被測定面に投影、走査するように構成することができ、この場合、第１および第２の撮像系は、反射ミラーの回動中心を挟んで互いに対称に配置されていることが好ましい。
【発明の効果】
【００１４】
本発明の３次元形状測定装置によれば、上記構成を備えていることにより、第１の３次元座標取得手段によって得られた３次元座標データに基づく形状解析（ステレオ法による形状解析）と、第２の３次元座標取得手段によって得られた３次元座標データに基づく形状解析（光切断法による形状解析）とを、適宜組み合わせて実施することが可能となる。
【００１５】
これにより、例えば、２つの撮像系により同時に測定用パターンを撮像可能であった場合には、ステレオ法による形状解析を行ない、２つの撮像系のうちいずれか一方の撮像系のみが測定用パターンを撮像可能であった場合には、光切断法による形状解析を行なうことができる。
【００１６】
被測定面の形状変化が大きい場合でも、投影走査系により被測定面に投影、走査された測定用パターンを、２つの撮像系により互いに異なる方向から撮像することによって、被測定面の各領域について、少なくとも一方の撮像系においては測定用パターンを撮像し得る確率は高くなる。したがって、本発明の３次元形状測定装置によれば、被測定面と撮像系との相対的位置を変化させなくとも、形状変化が大きい被測定面の３次元座標データを略全域に亘って得ることができるので、その３次元形状を高精度に測定することが可能となる。
【００１７】
また、第１および第２の撮像系の一露光時間内に、被測定面の全域に亘って測定用パターンを投影、走査する構成としたことにより、測定時の撮像回数を１回のみとすることができるので、１つの測定に要する時間を大幅に短縮することが可能となる。
【発明を実施するための最良の形態】
【００１８】
以下、本発明の実施形態について図面を参照しつつ詳細に説明する。図１は本発明の一実施形態に係る３次元形状測定装置の全体構成を示す図であり、図２はその測定原理を示す概略図である。
【００１９】
図１に示す３次元形状測定装置は、三角測量の原理を用いて被測定面７の３次元形状を測定解析するものであり、図示せぬ三脚に支持された装置本体１と、コンピュータ等からなる解析装置６とを備えてなる。
【００２０】
装置本体１は、被測定面７に輝線（直線状の測定用パターン）Ｋ（図２参照）を投影、走査する投影走査系２と、被測定面７に投影されて変形した輝線Ｋ０（図２参照）を互いに異なる方向から撮像する第１および第２の撮像系３，４と、輝線Ｋの投影方向を検出する投影方向検出手段５と、を備えてなる。
【００２１】
上記投影走査系２は、半導体レーザ装置等からなる光源部２１と、投影レンズ２２と、回動可能な反射ミラーからなる走査ミラー２３を有してなる。光源部２１からは直進性の高い光が投影レンズ２２に向けて間欠的に出力されるように構成されており（例えば、光源部２１と投影レンズ２２との間に間欠的に開放されるシャッタ（図示略）を配置し、該シャッタが開放される間のみ投影レンズ２２に向けて光が出力されるように構成したり、間欠的に光を出力し得るパルスレーザを光源部２１として用いたりする）、投影レンズ２２は、光源部２１からの出力光を輝線生成用の光束に変換して走査ミラー２３の回動中心（走査ミラー２３の回動軸Ｃ（図２参照）と、投影走査系２の光軸Ｌ１との交点に位置する。以下「基点Ｐ１」と称す）に向けて出射するように構成されている。また、上記走査ミラー２３は、図示せぬ回動装置を介して装置筺体に支持されており、該回動装置により、上記投影レンズ２２から間欠的に出力される光の各出力タイミングに同期して所定角度ずつ回動せしめられながら、投影レンズ２２からの光束を反射することにより、上記輝線Ｋを、その投影方向を上記所定角度ずつ変化させながら、上記被測定面７の全域に亘って間欠的に投影、走査するようになっている。
【００２２】
上記第１の撮像系３は、被測定面７に投影、走査された輝線Ｋ０を、輝線Ｋ０の投影方向とは異なる方向から撮像するものであり、図１に示すように、撮像レンズ３１と撮像カメラ３２とを有してなる。撮像カメラ３２は、ＣＣＤやＣＭＯＳ等の撮像面で形成される撮像面３３を備えており、撮像レンズ３１は、被測定面７に投影、走査された輝線Ｋ０の像を、撮像面３３上に結像させるように構成されている。また、撮像カメラ３２は、撮像面３３上に結像された画像情報を画像信号に変換し、解析装置６に出力するようになっている。
【００２３】
上記第２の撮像系４は、被測定面７に投影、走査された輝線Ｋ０を、輝線Ｋ０の投影方向および第１の撮像系３とは異なる方向から撮像するものであり、図１に示すように、撮像レンズ４１と撮像カメラ４２とを有してなる。撮像カメラ４２は、ＣＣＤやＣＭＯＳ等の撮像面で形成される撮像面４３を備えており、撮像レンズ４１は、被測定面７に投影、走査された輝線Ｋ０の像を、撮像面４３上に結像させるように構成されている。また、撮像カメラ４２は、撮像面４３上に結像された画像情報を画像信号に変換し、解析装置６に出力するようになっている。
【００２４】
本実施形態において、第１および第２の撮像系３，４は、上記基点Ｐ１（走査ミラー２３の回動中心）を挟んで互いに対称に配置されている。すなわち、図１において、第１の撮像系３における撮像レンズ３１の入射瞳の中心（以下「基点Ｐ２」と称す）と、第２の撮像系４における撮像レンズ４１の入射瞳の中心（以下「基点Ｐ３」と称す）とは、上記基点Ｐ１を挟んで左右対称に配置されている。また、第１および第２の撮像系３，４の各光軸Ｌ２，Ｌ３の向きが、互いに左右対称となるように配置されている。これにより、第１および第２の撮像系３，４の収差等に起因する測定誤差を左右対称とすることができるので、誤差補正が容易となるという利点がある。
【００２５】
また、第１および第２の撮像系３，４の相互間と、これらと上記投影走査系２との間には、被測定面７の形状解析の際に行なわれる演算において、その長さが重要なパラメータとなる基線長がそれぞれ設定されている。本実施形態においては、上述の基点Ｐ２，Ｐ３間に第１基線長ｄ１が設定されており、基点Ｐ１，Ｐ２間に第２基線長ｄ２が、基点Ｐ１，Ｐ３間に第３基線長ｄ３が、それぞれ設定されている。なお、上述した対称性により、本実施形態においては、ｄ２＝ｄ３であり、またｄ１＝ｄ２＋ｄ３となっている。
【００２６】
上記投影方向検出手段５は、ロータリーエンコーダ等を有してなり、上記走査ミラー２３の回動角度に基づき輝線Ｋの投影方向を検出し、その検出信号を解析装置６に出力するようになっている。
【００２７】
一方、上記解析装置６は、メモリに格納された処理プログラムや、ＣＰＵ、演算回路等によりそれぞれ構成される第１の３次元座標取得部６１、第２の３次元座標取得部６２、および３次元形状解析部６３を備えてなる。
【００２８】
第１の３次元座標取得部６１は、第１の３次元座標取得手段を構成するものであり、第１の撮像系３により撮像された画像上における輝線ＫＬ（図２参照）の座標と、第１の撮像系３と同じタイミングで第２の撮像系４により撮像された画像上における輝線ＫＲ（図２参照）の座標との対応関係、および第１および第２の撮像系３，４の間に設定された第１基線長ｄ１に基づき、輝線Ｋ０が投影された位置における被測定面７の３次元座標を求めるように構成されている。
【００２９】
第２の３次元座標取得部６２は、第２の３次元座標取得手段を構成するものであり、第１の撮像系３により撮像された画像上における輝線ＫＬの座標と、第１の撮像系３と投影走査系２との間に設定された第２基線長ｄ２と、輝線Ｋ０の投影方向とに基づき、および／または、第２の撮像系４により撮像された画像上における輝線ＫＲの座標と、第２の撮像系４と投影走査系２との間に設定された第３基線長ｄ３と、輝線Ｋ０の投影方向とに基づき、輝線Ｋ０が投影された位置における被測定面７の３次元座標を求めるように構成されている。
【００３０】
３次元形状解析部６３は、３次元形状解析手段を構成するものであり、輝線Ｋ０が被測定面７を走査する過程において、第１および第２の３次元座標取得部６１，６２によりそれぞれ求められた３次元座標データを、適宜組み合わせて被測定面７の３次元形状を求めるように構成されている。
【００３１】
次に、本実施形態に係る３次元形状測定装置の作用、および測定解析手順について説明する。
【００３２】
（１）３次元形状測定装置の略正面に設置された被測定面７に対し、投影走査系２は、第１および第２の撮像系３，４の一露光時間内（撮像カメラ３２，４２に搭載されるＣＣＤやＣＭＯＳ等の撮像素子における一蓄積時間内）に、被測定面７の全域に亘って輝線Ｋを、その投影方向を上記所定角度ずつ変化させながら、間欠的に投影、走査する。図２に示すように、輝線Ｋは鉛直方向に延びる直線状のパターンであり、走査方向は水平方向とされている。
【００３３】
具体的には、例えば、第１および第２の撮像系３，４の一露光時間を３３ミリ秒（１／３０（秒））とし、この間に、パルスレーザを用いて被測定面７の全域に５０本分の輝線Ｋを投影する。この場合、パルスレーザのオン・オフのデューティ比を１：１とすると、各輝線Ｋの投影時間はそれぞれ０．３３ミリ秒となる。また、上記一露光時間内に、輝線Ｋの投影方向を全体として３０度変化させる場合、各輝線Ｋの投影方向の変化は０．６度ずつとなる。
【００３４】
（２）第１および第２の撮像系３，４の一露光時間内に、輝線Ｋが被測定面７の全域に亘って間欠的に投影、走査された被測定面７を、第１および第２の撮像系３，４によって、互いに異なる方向から同時に撮像する。第１および第２の撮像系３，４によって撮像された各々の画像は、被測定面７の形状に応じて変形した複数の輝線Ｋ０（図２では簡便化のため１本の輝線Ｋ０のみを示す）が、互いに所定間隔を置いて被測定面７の全域に亘って写し出されたものとなっており、この撮像された各画像情報は、共に第１および第２の３次元座標取得部６１，６２へと送られる。なお、第１および第２の撮像系３，４においては、各撮像面３３，４３上の複数の画素に跨って各輝線Ｋ０が結像されるように、予め撮像倍率等の調整が行なわれている。
【００３５】
（３）投影方向検出手段５により、被測定面７上における各輝線Ｋ０の投影方向が検出され、その情報が第２の３次元座標取得部６２へと送られる。
【００３６】
（４）第１の撮像系３から送られてきた画像情報に基づき、第１の３次元座標取得部６１において、第１の撮像系３により撮像された画像上における各輝線ＫＬ（本来は、複数の輝線Ｋ０それぞれと対応した複数の輝線ＫＬが撮像されるが、図２では簡便化のため１本の輝線ＫＬのみを示す）上の各点の座標（図２において（ｘｉ，ｙｉ）と例示）を求める。この座標の特定に際しては、画像上における各輝線ＫＬの線幅中心を求める必要があるが、線幅中心の特定方法としては、２値化処理による方法や、強度分布がガウス分布に従うとして、線幅内で強度がピークとなる位置を求める方法などを用いることができる。
【００３７】
（５）第２の撮像系４から送られてきた画像情報に基づき、第１の３次元座標取得部６１において、第２の撮像系４により撮像された画像上における各輝線ＫＲ（本来は、複数の輝線Ｋ０それぞれと対応した複数の輝線ＫＲが撮像されるが、図２では簡便化のため１本の輝線ＫＲのみを示す）上の各点の座標（図２において（ｘ´ｐ，ｙ´ｑ）と例示）を求める。この座標の特定方法は、上述したのと同様である。
【００３８】
（６）第１の３次元座標取得部６１において、各輝線ＫＬ上の各点が各輝線ＫＲ上のどこに位置するのかを求める対応点探索を行ない、これにより、第１の撮像系３により撮像された画像上における各輝線ＫＬの座標と、第１の撮像系３と同じタイミングで第２の撮像系４により撮像された画像上における各輝線ＫＲの座標との対応関係を求める。なお、対応点探索の手法としては、一方の画像上における視線を他方の画像上に投影した線（「エピポーラ線」と称される）の上において、パターンマッチング等の手法を用いて対応点を探索する手法を用いることができる。
【００３９】
（７）第１の３次元座標取得部６１において、互いに対応付けられた各輝線ＫＬ，ＫＲの各座標情報と、上記第１基線長ｄ１とに基づき、各輝線Ｋ０が投影された位置における被測定面７の３次元座標（図２において（Ｘ，Ｙ，Ｚ）と例示）を、三角測量の原理を用いて求める。なお、この３次元座標（以下「第１手法による３次元座標」と称す）を求める手法としては、ステレオ法において用いられる一般的な算定手法を用いることができる。
【００４０】
（８）第２の３次元座標取得部６２において、第１の撮像系３から送られてきた画像情報に基づき、第１の撮像系３により撮像された画像上における各輝線ＫＬ上の各点の座標を求めるとともに、第２の撮像系４から送られてきた画像情報に基づき、第２の撮像系４により撮像された画像上における各輝線ＫＲ上の各点の座標を求める。
【００４１】
（９）第２の３次元座標取得部６２において、求められた各輝線ＫＬの座標と、上記第２基線長ｄ２と、各輝線Ｋ０の投影方向とに基づき、各輝線Ｋ０が投影された位置における被測定面７の３次元座標（以下「第２手法による３次元座標」と称す）を求めるとともに、同じく求められた各輝線ＫＲの座標と、上記第３基線長ｄ３と、各輝線Ｋ０の投影方向とに基づき、各輝線Ｋ０が投影された位置における被測定面７の３次元座標（以下「第３手法による３次元座標」と称す）を、三角測量の原理を用いて求める。なお、これら第２手法および第３手法による３次元座標を求める手法としては、光切断法において用いられる一般的な算定手法を用いることができる。
【００４２】
（１０）上記（４）〜（９）の手順により、上述した第１手法による３次元座標から第３手法による３次元座標までの、被測定面７の全域に係る計３組の３次元座標が得られることになる。
【００４３】
（１１）３次元形状解析部６３において、第１および第２の３次元座標取得部６１，６２によりそれぞれ求められた被測定面７の全域に係る３組の３次元座標データを、適宜組み合わせて被測定面７の３次元形状を求める。このデータの組合せは、例えば、次のように行なう。すなわち、第１手法による３次元座標は、第１および第２の撮像系３，４の双方が同一の輝線Ｋ０を撮像し得た被測定面７上の領域に対してのみ求めることができる。一方、第２手法による３次元座標は、第１の撮像系３だけが輝線Ｋ０を撮像し得た被測定面７上の領域に対しても求めることができ、第３手法による３次元座標は、第２の撮像系３だけが輝線Ｋ０を撮像し得た被測定面７上の領域に対しても求めることができる。そこで、基本的には、第１手法による３次元座標に基づき、被測定面７の３次元形状を求め、第１手法による３次元座標が得られない被測定面７上の領域については、第２手法による３次元座標（第１の撮像系３だけが輝線Ｋ０を撮像し得た場合）、または第３手法による３次元座標（第２の撮像系３だけが輝線Ｋ０を撮像し得た場合）を、補完的に用いて３次元形状を求めるようにする。
【００４４】
なお、上述した手順では、第２の３次元座標取得部６２において、第２手法による３次元座標と第３手法による３次元座標との双方を常時求めるようにしているが、第１および第２の撮像系３，４の双方が同一の輝線Ｋ０を撮像し得た被測定面７上の領域については、第２手法および第３手法による３次元座標の算定は行なわず、第１および第２の撮像系３，４のうちいずれか一方の撮像系のみが輝線Ｋ０を撮像し得た被測定面７上の領域については、撮像し得た方の撮像系の画像情報に基づく３次元座標（第１の撮像系３のみが撮像し得た場合は第２手法による３次元座標、第２の撮像系３のみが撮像し得た場合は第３手法による３次元座標）を求めるようにしてもよい。
【００４５】
また、本実施形態では、第１および第２の撮像系３，４の２つの撮像系を備えているが、３つ以上の撮像系を備えるようにしてもよい。さらに、本実施形態では、１つの直線状の測定用パターン（輝線Ｋ）を被測定面７に投影し、これを走査するようにしているが、複数の直線状の測定用パターンを被測定面７に投影、走査するようにしたり、点状の投影用パターンを被測定面７に投影、走査するようにしたり、他の図形からなる投影用パターンを被測定面７に投影、走査するようにしたりすることも可能である。
【図面の簡単な説明】
【００４６】
【図１】本発明の一実施形態に係る３次元形状測定装置の全体構成図
【図２】３次元形状測定装置の測定原理を示す概略図
【符号の説明】
【００４７】
１              装置本体
２              投影走査系
３              第１の撮像系
４              第２の撮像系
５              投影方向検出手段
６              解析装置
７              被測定面
２１            光源部
２２            投影レンズ
２３            走査ミラー
３１，４１      撮像レンズ
３２，４２      撮像カメラ
３３，４３      撮像面
６１            第１の３次元座標取得部
６２            第２の３次元座標取得部
６３            ３次元形状解析部
Ｌ１〜Ｌ３        光軸
Ｐ１〜Ｐ３        基点
ｄ１            第１基線長
ｄ２            第２基線長
ｄ３            第３基線長
Ｋ              輝線
Ｋ０            （投影されて変形した）輝線
ＫＬ            （第１の撮像系により撮像された画像上における）輝線
ＫＲ            （第２の撮像系により撮像された画像上における）輝線
Ｃ              回動軸
【図１】
2008241643.tif 000003
【図２】
2008241643.tif 000004